【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
側溝上に架設する道路を兼ねる蓋体用の床版型枠であって、当該床版型枠は、所定の長さと幅を有する略矩形状に形成された底板部と、当該底板部に於ける、側溝の水の流れる方向に平行して対向する第１と第２の端縁部から、当該底板部の平面に対して略垂直方向に延展されている、所定の高さを有する第１及び第２の側壁部と、当該側溝の水の流れる方向と略直交する方向に平行して対向する第３と第４の端縁部の少なくとも一方の端縁部から、当該底板部の平面に対して略垂直方向に延展されている、所定の高さを有する第３又は第４の側壁部とで構成された型枠部と、当該側溝の水の流れる方向と略直交する方向に互いに平行に、且つ当該底板部に固定されて配列されおり、更に、当該底板部の平面に対して略垂直な壁面を有する複数本の補強鋼材と、当該側溝の水の流れる方向に平行して配列され、当該補強鋼材との交差部に於いて、当該補強鋼材と接合固定されている複数本の補助補強鋼材と、から構成されており、当該床版型枠は、更に、当該第１と第２の側壁部の当該床版型枠内部に面する当該側壁部内面に、当該側壁を補強する為の保持部材が設けられ、当該保持部材と当該補強鋼材との間に、保持部材と当該補強鋼材とを接続固定する接合板が配置されており、更に、当該第３と第４の端縁部の少なくとも一方の端縁部に形成されている当該第３又は第４の側壁部は、当該側溝の水の流れる方向に平行して対向する、二枚の所定の間隔で配置された、第１の壁板部と第２の壁板部とを含んでおり、且つ当該第１の壁板部と第２の壁板部との間には、当該第１の壁板部と第２の壁板部の長手方向に所定の間隔を介して、当該底板部の平面に対して略垂直方向配置されている、複数本の経方向鉄筋群と当該第３又は第４の端縁部の長手方向に並列に配列されている少なくとも一本の第１の水平鉄筋とを有しており、且つそれぞれの当該経方向鉄筋の下端部は、当該経方向鉄筋の配列方向に対して略直交する方向でかつ当該側溝の水の流れる方向に平行する方向に屈曲せしめられており、然も、当該型枠に於ける当該底板部と当該第１乃至第２の側壁部及び当該第３又は第４の側壁部を構成する当該第１及び第２の壁板部は、耐錆性、耐腐蝕性、耐食性を有する鋼板で構成されており、且つ、当該第１の壁板部と第２の壁板部の内で、当該型枠内部に面する側の当該壁板部の下端部は、当該底板部と間に空間部が形成されており、当該空間部を介して、当該経方向鉄筋の下端部が、当該型枠内部空間に向けて延展されている事を特徴とする側溝蓋体用床版型枠。
【請求項２】
側溝上に架設する道路を兼ねる蓋体用の床版型枠であって、当該床版型枠は、所定の長さと幅を有する略矩形状に形成された底板部と、当該底板部に於ける、側溝の水の流れる方向に平行して対向する第１と第２の端縁部から、当該底板部の平面に対して略垂直方向に延展されている、所定の高さを有する第１及び第２の側壁部と、当該側溝の水の流れる方向と略直交する方向に平行して対向する第３と第４の端縁部の少なくとも一方の端縁部から、当該底板部の平面に対して略垂直方向に延展されている、所定の高さを有する第３又は第４の側壁部とで構成された型枠部と、当該側溝の水の流れる方向と略直交する方向に互いに平行に、且つ当該底板部に固定されて配列されおり、更に、当該底板部の平面に対して略垂直な壁面を有する複数本の補強鋼材と、当該補強鋼材の間に当該補強鋼材と平行する方向に配置されている複数本の第２の水平鉄筋群と、当該側溝の水の流れる方向に平行して且つ、当該補強鋼材の当該壁面を貫通して、互いに平行に配置されている複数本の第３の水平鉄筋群と、当該第３の水平鉄筋群と平行して設けられ、当該補強鋼材との交差部に於いて、当該補強鋼材と接合固定されている複数本の補助補強鋼材と、から構成されており、当該床版型枠は、更に、当該第１と第２の側壁部の当該床版型枠内部に面する当該側壁部内面に、当該側壁を補強する為の保持部材が設けられ、当該保持部材と当該補強鋼材との間に、当該保持部材と当該補強鋼材とを接続固定する接合板が配置されており、更に、当該第３と第４の端縁部の少なくとも一方の端縁部に形成されている当該第３又は第４の側壁部は、当該側溝の水の流れる方向に平行して対向する、二枚の所定の間隔で配置された、第１の壁板部と第２の壁板部とを含んでおり、且つ当該第１の壁板部と第２の壁板部との間には、当該第１の壁板部と第２の壁板部の長手方向に所定の間隔を介して、当該底板部の平面に対して略垂直方向配置されている、複数本の経方向鉄筋群と当該第３又は第４の端縁部の長手方向に並列に配列されている少なくとも一本の第１の水平鉄筋とを有しており、且つそれぞれの当該経方向鉄筋の下端部は、当該第３の水平鉄筋群のそれぞれの端部と並列的に接合出来る様に、当該経方向鉄筋の配列方向に対して略直交する方向でかつ当該側溝の水の流れる方向に平行する方向に屈曲せしめられており、然も、当該型枠に於ける当該底板部と当該第１乃至第２の側壁部及び当該第３或いは第４の当該側壁部を構成する当該第１と第２の壁板部は、耐錆性、耐腐蝕性、耐食性を有する鋼板で構成されており、且つ、当該第１の壁板部と第２の壁板部の内で、当該型枠内部に面する側の当該壁板部の下端部は、当該底板部と間に空間部が形成されており、当該空間部を介して、当該経方向鉄筋の下端部が、当該型枠内部空間に向けて延展されている事を特徴とする側溝蓋体用床版型枠。
【請求項３】
当該底板部の当該第１と第２の端縁部近傍には、当該第１と第２の端縁部の長手方向に沿って、アンカーボルトとの嵌合孔部が設けられている事を特徴とする請求項１又は２に記載の側溝蓋体用床版型枠。
【請求項４】
当該補強鋼材は、その断面がＩ字状或いはコ字状であるか、垂直壁部の上端部及び下端部に於ける屈折張り出し部の張り出し方向が異なっている形状である事を特徴とする請求項１乃至３の何れか一項に記載の側溝蓋体用床版型枠。
【請求項５】
当該補助補強鋼材は、その断面がＬ字状、Ｉ字状或いはコ字状であるか、垂直壁部の上端部及び下端部に於ける屈折張り出し部の張り出し方向が異なっている形状である事を特徴とする請求項１乃至４の何れか１つに記載の側溝蓋体用床版型枠。
【請求項６】
当該補強鋼材は、当該略垂直な壁面内の少なくとも一部に、当該第３の水平鉄筋を貫通通過させる為の、開口部が設けられている事を特徴とする請求項１乃至５の何れか１項に記載の側溝蓋体用床版型枠。
【請求項７】
当該第１又は第２の側壁部に於ける、当該第１又は第２の端縁部に沿って形成される高さは、変化している事を特徴とする請求項１乃至６の何れかに記載の側溝蓋体用床版型枠。
【請求項８】
当該第３又は第４の側壁部を構成する当該第１及び第２の壁板部に於ける、当該第３又は第４の端縁部に沿って形成される高さは、変化している事を特徴とする請求項１乃至７の何れかに記載の側溝蓋体用床版型枠。
【請求項９】
当該第１の壁板部と第２の壁板部の上端縁部は、水平状或は傾斜した互いに同一の平面上に配置されていると共に、当該第１の壁板部と第２の壁板部の上端縁部は、当該壁板部の表面に対して所定の角度を持って当該第１と第２の壁板部内部方向に屈折された屈折壁が設けられている事を特徴とする請求項１乃至８の何れか一項に記載の側溝蓋体用床版型枠。
【請求項１０】
当該側溝蓋体用床版型枠の一部に、当該補強鋼材、当該水平鉄筋群及び底板部を貫通する排水孔部が設けられている事を特徴とする請求項１乃至９の何れかに記載の側溝蓋体用床版型枠。
【請求項１１】
当該排水孔部を形成する周縁側壁部は、当該底板部或いは当該側壁部を構成する材料と同一の材料で構成されている事を特徴とする請求項１０に記載の側溝蓋体用床版型枠。
【請求項１２】
当該排水孔部周辺近傍部には、当該補強鋼材、補助補強鋼材及び当該第２及び第３の水平鉄筋群の配列方向とは異なった配列方向を持って配置されている複数の排水孔部補強鉄筋群が設けられている事を特徴とする請求項１０又は１１に記載の側溝蓋体用床版型枠。
【請求項１３】
当該底板部の第３の端縁部にのみ当該第３の側壁部が形成された請求項１又は２に記載の第１の側溝蓋体用床版型枠と、当該底板部の第４の端縁部にのみ当該第３４の側壁部が形成された請求項１又は２に記載の第２の側溝蓋体用床版型枠とを、当該側壁部が形成されていない当該底板部の端縁部同士を対向させて、適宜の接合手段を介して当該底板同士、当該第２の水平鉄筋群同士、及び当該補助補強鋼材同士を相互に接合固定した事を特徴とする側溝蓋体用床版型枠。
【請求項１４】
当該底板部の第３の端縁部にのみ当該第３の側壁部が形成された請求項１又は２に記載の第１の側溝蓋体用床版型枠と、当該底板部の第４の端縁部にのみ当該第４の側壁部が形成された請求項１又は２に記載の第２の側溝蓋体用床版型枠とを、当該側壁部が形成されていない当該底板部の端縁部同士を対向させると共に、当該対向している当該第１と第２の側溝蓋体用床版型枠の間に、当該底板部の第３及び第４の端縁部の何れにも当該第３及び第４の側壁部が形成されたていない請求項１又は２に記載の第３の側溝蓋体用床版型枠を当該第３の側溝蓋体用床版型枠に於ける当該第１及び第２の側壁部が当該第１と第２の側溝蓋体用床版型枠の当該第１及び第２の側壁部と整列する様に配置し、適宜の接合手段を介して当該底板同士、当該第１乃至第３の側溝蓋体用床版型枠の当該第２の水平鉄筋群同士、及び当該補助補強鋼材同士を相互に接合固定した事を特徴とする側溝蓋体用床版型枠。
【請求項１５】
請求項１乃至１４の何れかに記載されている当該側溝蓋体用床版型枠内にコンクリートが注入されて構成された事を特徴とする側溝蓋体用床版。